(57)【要約】      （修正有）【課題】記録ヘッドの角度を調整できるヘッドアッセンブリを提供する。【解決手段】ヘッドアッセンブリ１は、ベース部材と、記録ヘッド３と、第１連結部材４ａと、第２連結部材４ｂと、第１回転軸部材６１と、第１角度調整機構とを備える。第１連結部材は、記録ヘッドの第１端部をベース部材に連結する。第２連結部材は、記録ヘッドの第２端部をベース部材に連結する。第１回転軸部材は、記録ヘッドの回転軸となる。第１角度調整機構は、第１回転軸部材を回転中心として記録ヘッドを回転させる。第１回転軸部材は、第１連結部材に設けられる。第１角度調整機構は、第２連結部材に設けられる。【選択図】図５
2020121515.tif 000002
【特許請求の範囲】
【請求項１】
ベース部材と、
インクを吐出する複数の記録ヘッドと、
前記複数の記録ヘッドを前記ベース部材に連結する複数の連結部材と、
前記複数の記録ヘッドのうちの少なくとも１つの記録ヘッドの回転軸となる少なくとも１つの第１回転軸部材と、
前記少なくとも１つの記録ヘッドを、対応する前記第１回転軸部材を回転中心として回転させる少なくとも１つの第１角度調整機構と
を備え、
前記複数の記録ヘッドはそれぞれ、第１端部と、前記第１端部とは反対側の第２端部とを有し、
前記複数の連結部材は、
前記複数の記録ヘッドの前記第１端部をそれぞれ前記ベース部材に連結する複数の第１連結部材と、
前記複数の記録ヘッドの前記第２端部をそれぞれ前記ベース部材に連結する複数の第２連結部材と
を含み、
前記第１回転軸部材は、対応する前記記録ヘッドの前記第１連結部材に設けられ、
前記第１角度調整機構は、対応する前記記録ヘッドの前記第２連結部材に設けられる、ヘッドアッセンブリ。
【請求項２】
前記第１角度調整機構は、
対応する前記記録ヘッドの前記第２端部に当接して、対応する前記記録ヘッドを第１回転方向に回転させる第１押当部材と、
前記第１回転方向とは反対の第２回転方向に、対応する前記記録ヘッドの前記第２端部を付勢する第１付勢部材と
を有する、請求項１に記載のヘッドアッセンブリ。
【請求項３】
前記ヘッドアッセンブリは、第１端部と、前記第１端部とは反対側の第２端部とを有し、
前記複数の記録ヘッドのそれぞれの前記第１端部は、前記ヘッドアッセンブリの前記第１端部側に配置され、
前記複数の記録ヘッドのそれぞれの前記第２端部は、前記ヘッドアッセンブリの前記第２端部側に配置される、請求項１又は請求項２に記載のヘッドアッセンブリ。
【請求項４】
請求項１から請求項３のいずれか１項に記載のヘッドアッセンブリと、
前記ヘッドアッセンブリが設置される設置部と
を備える、インクジェット記録装置。
【請求項５】
前記設置部に設けられ、前記ヘッドアッセンブリの回転軸となる第２回転軸部材と、
前記設置部に設けられ、前記第２回転軸部材を回転中心として前記ヘッドアッセンブリを回転させる第２角度調整機構と
を備える、請求項４に記載のインクジェット記録装置。
【請求項６】
前記ヘッドアッセンブリは、第１端部と、前記第１端部とは反対側の第２端部とを有し、
前記第２回転軸部材は、前記ヘッドアッセンブリの前記第１端部側に配置され、
前記第２角度調整機構は、前記ヘッドアッセンブリの前記第２端部側に配置される、請求項５に記載のインクジェット記録装置。
【請求項７】
前記第２角度調整機構は、
第３回転軸部材と、
前記第３回転軸部材を回転中心として回転自在に配置される角度調整部材と、
を有し、
前記角度調整部材は、前記ヘッドアッセンブリに係合する第１係合部を有し、
前記ヘッドアッセンブリは、前記第１係合部と係合するヘッド側係合部を有し、
前記角度調整部材は、前記第３回転軸部材を回転中心として第３回転方向に回転することに応じて、前記第１係合部が前記ヘッド側係合部を押すように構成されており、
前記ヘッドアッセンブリは、前記第１係合部が前記ヘッド側係合部を押すことに応じて、前記第２回転軸部材を回転中心として回転するように構成されている、請求項５又は請求項６に記載のインクジェット記録装置。
【請求項８】
前記第２角度調整機構は、前記角度調整部材と係合する第２押当部材を有し、
前記角度調整部材は、前記第２押当部材と係合する第２係合部を有し、
前記第２角度調整機構は、前記第２押当部材が前記第２係合部を押すことに応じて、前記角度調整部材が前記第３回転方向に回転するように構成されている、請求項７に記載のインクジェット記録装置。
【請求項９】
前記第２角度調整機構は、前記第２押当部材に連結し、前記第２押当部材が前記第２係合部を押すように前記第２押当部材を移動させる連結機構を有する、請求項８に記載のインクジェット記録装置。
【請求項１０】
前記連結機構は、作業者が操作可能な操作部材を有し、
前記連結機構は、前記操作部材が操作されることに応じて前記第２押当部材を移動させるように構成されている、請求項９に記載のインクジェット記録装置。
【請求項１１】
前記設置部は、側壁を有し、
前記角度調整部材は、前記側壁の内側に配置され、
前記操作部材は、前記側壁の外側に配置される、請求項１０に記載のインクジェット記録装置。
【請求項１２】
前記第２角度調整機構は、第４回転方向に前記角度調整部材が回転するように前記角度調整部材を付勢する第２付勢部材を有し、
前記第４回転方向は、前記第３回転方向とは反対の回転方向である、請求項７から請求項１１のいずれか１項に記載のインクジェット記録装置。
【請求項１３】
前記第２角度調整機構は、前記角度調整部材の回転を規制する規制部材を有する、請求項７から請求項１２のいずれか１項に記載のインクジェット記録装置。
【発明の詳細な説明】
【技術分野】
【０００１】
本発明は、ヘッドアッセンブリ、及びインクジェット記録装置に関する。
【背景技術】
【０００２】
インクジェット記録装置の一種に、ラインヘッド式のインクジェット記録装置がある。ラインヘッド式のインクジェット記録装置は、搬送中の記録媒体に向けて記録ヘッドからインクを吐出して、記録媒体に画像を記録する。記録ヘッドは、インクを吐出するノズル孔が形成されたノズル面を有する。
【０００３】
ラインヘッド式のインクジェット記録装置は、一般的に、複数の記録ヘッドを有するヘッドアッセンブリを備える。複数の記録ヘッドは、記録媒体の搬送方向に直交する記録媒体の幅方向に並べて配置される。また、ラインヘッド式のインクジェット記録装置は、１つのヘッドアッセンブリの各記録ヘッドから１色（同色）のインクを吐出するように構成されている。したがって、カラー印刷に対応するラインヘッド式のインクジェット記録装置は、例えば４つのヘッドアッセンブリを備える。詳しくは、イエロー色、シアン色、マゼンタ色、及び黒色の各色に対応するヘッドアッセンブリがインクジェット記録装置の装置本体に搭載される。各色のヘッドアッセンブリは、記録媒体の搬送方向に並べて配置される。
【０００４】
ラインヘッド式のインクジェット記録装置は、記録ヘッドの位置決めをより正確に行う必要がある。例えば、平面視した場合に、同色のインクを吐出する記録ヘッドの角度が揃っているように、記録ヘッドを位置決めする必要がある。換言すると、記録媒体の搬送方向と記録媒体の幅方向とを含む面内で、同色のインクを吐出する記録ヘッドを平行に並べる必要がある。同色のインクを吐出する記録ヘッドの角度が揃っていない場合、画像品質が低下するおそれがあるためである。具体的には、縦筋画像が発生するおそれがある。
【０００５】
特許文献１には、インクジェットヘッドを位置決めする機構が開示されている。具体的には、特許文献１には、インクジェットヘッドと、フレームと、２つの位置決めピンと、２つのアライメントプレートとを備えたヘッドアッセンブリが開示されている。詳しくは、インクジェットヘッドは、記録媒体の幅方向における両端に鍔部を有し、２つの鍔部にそれぞれ１つのアライメントプレートが取り付けられる。２つの位置決めピンは、記録媒体の幅方向において対向し、フレームの主面から垂直に突出する。インクジェットヘッドをフレームに固定する際には、一方のアライメントプレートの側面に一方の位置決めピンが当接し、他方のアライメントプレートの側面に他方の位置決めピンが当接するように、インクジェットヘッドの鍔部をフレームに押し当てる。この結果、インクジェットヘッドの位置が定まる。
【先行技術文献】
【特許文献】
【０００６】
【特許文献１】特開２００８−２９６５１８号公報
【発明の概要】
【発明が解決しようとする課題】
【０００７】
しかしながら、特許文献１に開示されたヘッドアッセンブリは、インクジェットヘッドをフレームに固定した後に、インクジェットヘッドの角度を調整できない。したがって、例えば、位置決めピンの位置、又はアライメントプレートの位置の誤差に起因して、同色のインクを吐出するインクジェットヘッドの角度が揃わない可能性がある。
【０００８】
本発明は上記課題に鑑みてなされたものであり、その目的は、記録ヘッドの角度を調整できるヘッドアッセンブリ、及びインクジェット記録装置を提供することにある。
【課題を解決するための手段】
【０００９】
本発明のヘッドアッセンブリは、ベース部材と、複数の記録ヘッドと、複数の連結部材と、少なくとも１つの第１回転軸部材と、少なくとも１つの第１角度調整機構とを備える。前記複数の記録ヘッドは、インクを吐出する。前記複数の連結部材は、前記複数の記録ヘッドを前記ベース部材に連結する。前記少なくとも１つの第１回転軸部材は、前記複数の記録ヘッドのうちの少なくとも１つの記録ヘッドの回転軸となる。前記少なくとも１つの第１角度調整機構は、前記少なくとも１つの記録ヘッドを、対応する前記第１回転軸部材を回転中心として回転させる。前記複数の記録ヘッドはそれぞれ、第１端部と、前記第１端部とは反対側の第２端部とを有する。前記複数の連結部材は、複数の第１連結部材と、複数の第２連結部材とを含む。前記複数の第１連結部材は、前記複数の記録ヘッドの前記第１端部をそれぞれ前記ベース部材に連結する。前記複数の第２連結部材は、前記複数の記録ヘッドの前記第２端部をそれぞれ前記ベース部材に連結する。前記第１回転軸部材は、対応する前記記録ヘッドの前記第１連結部材に設けられる。前記第１角度調整機構は、対応する前記記録ヘッドの前記第２連結部材に設けられる。
【００１０】
本発明のインクジェット記録装置は、上記のヘッドアッセンブリと、上記のヘッドアッセンブリが設置される設置部とを備える。
【発明の効果】
【００１１】
本発明のヘッドアッセンブリ、及びインクジェット記録装置によれば、記録ヘッドの角度を調整することができる。
【図面の簡単な説明】
【００１２】
【図１】本発明の実施形態に係るヘッドアッセンブリを示す斜視図である。
【図２】本発明の実施形態に係るヘッドアッセンブリを示す斜視図である。
【図３】本発明の実施形態に係るヘッドアッセンブリを示す背面図である。
【図４】本発明の実施形態に係るインクジェット記録装置を示す図である。
【図５】本発明の実施形態に係るヘッドアッセンブリを示す底面図である。
【図６】本発明の実施形態に係る第２記録ヘッド及び第１角度調整機構を示す底面図である。
【図７】本発明の実施形態に係る第２記録ヘッド及び第１角度調整機構を示す拡大斜視図である。
【図８】本発明の実施形態に係るインクジェット記録装置を示す図である。
【図９】本発明の実施形態に係るヘッドアッセンブリを示す底面図である。
【図１０】本発明の実施形態に係る第２角度調整機構を示す斜視図である。
【図１１】本発明の実施形態に係る第２角度調整機構及び第２連結部材を示す底面図である。
【図１２】本発明の実施形態に係る第２角度調整機構を示す斜視図である。
【図１３】本発明の実施形態に係るインクジェット記録装置の構成を示す図である。
【発明を実施するための形態】
【００１３】
以下、図面を参照して本発明の実施形態を説明する。但し、図中、同一又は相当部分については同一の参照符号を付して説明を繰り返さない。また、説明が重複する箇所については、適宜説明を省略する場合がある。なお、図面には、理解を容易にするために、前後方向、上下方向、及び左右方向を記載しているが、本発明に係るヘッドアッセンブリ及びインクジェット記録装置の製造時及び使用時の向きを限定する意図はない。
【００１４】
まず、図１を参照して、本実施形態のヘッドアッセンブリ１を説明する。図１は、本実施形態に係るヘッドアッセンブリ１を示す斜視図である。詳しくは、図１は、左斜め前の上方から見たヘッドアッセンブリ１を示す。図１に示すように、ヘッドアッセンブリ１は、ベース部材２、複数の記録ヘッド３、及び複数の連結部材４を備える。
【００１５】
ヘッドアッセンブリ１は長尺の部品であり、第１端部１ａと、第１端部１ａとは反対側の第２端部１ｂとを有する。第１端部１ａは、ヘッドアッセンブリ１の長手方向における一方の端部であり、第２端部１ｂは、ヘッドアッセンブリ１の長手方向における他方の端部である。本実施形態において、ヘッドアッセンブリ１の第１端部１ａは左側の端部であり、ヘッドアッセンブリ１の第２端部１ｂは右側の端部である。
【００１６】
複数の連結部材４は、複数の記録ヘッド３をベース部材２に連結する。ベース部材２は、長尺の部材である。本実施形態において、複数の記録ヘッド３は、第１記録ヘッド３ａ及び第２記録ヘッド３ｂを含む。また、本実施形態のヘッドアッセンブリ１は、記録ヘッド３ごとに、２つの連結部材４を備える。２つの連結部材４は、第１連結部材４ａ、及び第２連結部材４ｂを含む。第１連結部材４ａは、対応する記録ヘッド３の左側に配置されて、対応する記録ヘッド３の左側の端部をベース部材２に連結する。第２連結部材４ｂは、対応する記録ヘッド３の右側に配置されて、対応する記録ヘッド３の右側の端部をベース部材２に連結する。本実施形態において、ベース部材２に対して記録ヘッド３が配置される側は下側であり、その反対側は上側である。
【００１７】
次に、図２を参照して、本実施形態のヘッドアッセンブリ１を説明する。図２は、本実施形態に係るヘッドアッセンブリ１を示す斜視図である。詳しくは、図２は、左斜め後ろの上方から見たヘッドアッセンブリ１を示す。図２に示すように、複数の記録ヘッド３は、第１記録ヘッド３ａ及び第２記録ヘッド３ｂに加えて、第３記録ヘッド３ｃを更に含む。
【００１８】
本実施形態において、第１記録ヘッド３ａは、ヘッドアッセンブリ１の第１端部１ａ側に配置される。第２記録ヘッド３ｂは、ヘッドアッセンブリ１の第２端部１ｂ側に配置される。第３記録ヘッド３ｃは、ヘッドアッセンブリ１の中央部に配置される。また、第１記録ヘッド３ａ〜第３記録ヘッド３ｃは、ベース部材２の長手方向に沿って千鳥状に配置される。詳しくは、第３記録ヘッド３ｃは、第１記録ヘッド３ａ及び第２記録ヘッド３ｂと比べて後ろ側に配置される。
【００１９】
次に、図３を参照して、本実施形態のヘッドアッセンブリ１を説明する。図３は、本実施形態に係るヘッドアッセンブリ１を示す背面図である。図３に示すように、記録ヘッド３は、ノズル面３１を有する。記録ヘッド３は、ノズル面３１からインクを吐出する。具体的には、ノズル面３１に多数のノズル孔が形成されており、ノズル孔からインクが吐出される。ノズル面３１は、記録ヘッド３の下面（底面）の少なくとも一部を構成する。なお、第１記録ヘッド３ａ〜第３記録ヘッド３ｃは、同色のインクを吐出する。
【００２０】
次に、図４を参照して、本実施形態のインクジェット記録装置１００を説明する。図４は、本実施形態のインクジェット記録装置１００を示す図である。図４に示すように、インクジェット記録装置１００は、ヘッドアッセンブリ１と、設置部５と、位置決め部材８とを備える。
【００２１】
ヘッドアッセンブリ１は、設置部５に設置される。設置部５は、例えば、上面が開放された枠体である。この場合、設置部５は、ヘッドアッセンブリ１を収容する。設置部５は、インクジェット記録装置１００が備える本体フレームに支持される。
【００２２】
設置部５は、第１側壁５ａ、第２側壁５ｂ、及び底壁５ｃを有する。本実施形態において、第１側壁５ａは左側壁であり、第２側壁５ｂは右側壁である。第１側壁５ａは、底壁５ｃの左端部に接続して、底壁５ｃから上方向に延びる。第２側壁５ｂは、底壁５ｃの右端部に接続して、底壁５ｃから上方向に延びる。
【００２３】
底壁５ｃは、開口５ｈと、載置面５１とを有する。載置面５１には、ヘッドアッセンブリ１の下面の一部が載置される。ヘッドアッセンブリ１が設置部５に設置されると、第１記録ヘッド３ａ〜第３記録ヘッド３ｃのそれぞれの下端部３２（ノズル面側の端部）が開口５ｈから突出する。その結果、第１記録ヘッド３ａ〜第３記録ヘッド３ｃのそれぞれのノズル面３１は、設置部５の底壁５ｃの下方に配置される。
【００２４】
位置決め部材８は、設置部５に設けられて、設置部５に設置されたヘッドアッセンブリ１の位置を決める。具体的には、位置決め部材８は、ヘッドアッセンブリ１の長手方向の位置を決める。本実施形態において、位置決め部材８は、ピン状部材であり、設置部５の底壁５ｃに設けられる。詳しくは、位置決め部材８は、載置面５１から上方向に延びる。また、位置決め部材８は、ヘッドアッセンブリ１の第１端部１ａ側に配置される。ヘッドアッセンブリ１の第１端部１ａ側に設けられた第１連結部材４ａは、挿入穴４１を有する。位置決め部材８が挿入穴４１に挿入されることにより、ヘッドアッセンブリ１が位置決めされる。本実施形態において、挿入穴４１は貫通穴である。なお、以下の説明において、ヘッドアッセンブリ１の第１端部１ａ側に設けられた第１連結部材４ａを、「第１連結部材４ａａ」と記載する場合がある。
【００２５】
次に、図５を参照して、本実施形態のヘッドアッセンブリ１を説明する。図５は、本実施形態に係るヘッドアッセンブリ１を示す底面図である。図５に示すように、記録ヘッド３は、左右方向に沿って延びる。換言すると、記録ヘッド３は、ヘッドアッセンブリ１の長手方向に沿って延びる。
【００２６】
図５に示すように、本実施形態のヘッドアッセンブリ１は、２つの回転軸部材６１を有する。２つの回転軸部材６１のうちの一方は、第２記録ヘッド３ｂの回転軸である。２つの回転軸部材６１のうちの他方は、第３記録ヘッド３ｃの回転軸である。第２記録ヘッド３ｂ及び第３記録ヘッド３ｃはそれぞれ、対応する回転軸部材６１を回転中心として、回転方向Ｒ１及び回転方向Ｒ２に回転自在である。回転方向Ｒ２は、回転方向Ｒ１とは反対の回転方向である。回転軸部材６１は、第１連結部材４ａに設けられる。詳しくは、本実施形態の回転軸部材６１は、第１連結部材４ａａ以外の第１連結部材４ａに設けられる。
【００２７】
次に、図６を参照して、本実施形態の回転軸部材６１及び第１角度調整機構６を説明する。図６は、本実施形態に係る第２記録ヘッド３ｂ及び第１角度調整機構６を示す底面図である。
【００２８】
図６に示すように、第２記録ヘッド３ｂは、第１端部３３ａと、第１端部３３ａとは反対側の第２端部３３ｂとを有する。第１端部３３ａは、第２記録ヘッド３ｂの左側の端部であり、第２端部３３ｂは、第２記録ヘッド３ｂの右側の端部である。なお、第１記録ヘッド３ａ及び第３記録ヘッド３ｃも第２記録ヘッド３ｂと同様に、第１端部３３ａ及び第２端部３３ｂを有する。したがって、図１及び図２を参照して説明した３つの第１連結部材４ａは、第１記録ヘッド３ａ〜第３記録ヘッド３ｃのそれぞれの第１端部３３ａをベース部材２に連結する。同様に、図１及び図２を参照して説明した３つの第２連結部材４ｂは、第１記録ヘッド３ａ〜第３記録ヘッド３ｃのそれぞれの第２端部３３ｂをベース部材２に連結する。
【００２９】
図６に示すように、ヘッドアッセンブリ１は、回転軸部材６１に加えて、第１角度調整機構６を更に備える。第１角度調整機構６は、第２連結部材４ｂに設けられる。第１角度調整機構６は、回転軸部材６１を回転中心として第２記録ヘッド３ｂを回転させて、第２記録ヘッド３ｂの角度を調整する。具体的には、作業者が第１角度調整機構６を操作することにより、第２記録ヘッド３ｂが回転方向Ｒ１又は回転方向Ｒ２へ回転する。なお、ヘッドアッセンブリ１は、第２記録ヘッド３ｂに対して設けられる第１角度調整機構６に加えて、第３記録ヘッド３ｃに対して設けられる第１角度調整機構６を更に備える。
【００３０】
以上、図１〜図６を参照して、本実施形態のヘッドアッセンブリ１を説明した。本実施形態によれば、作業者は、第２記録ヘッド３ｂに対して設けられた第１角度調整機構６を操作して、第２記録ヘッド３ｂを回転方向Ｒ１又は回転方向Ｒ２へ回転させることができる。同様に、作業者は、第３記録ヘッド３ｃに対して設けられた第１角度調整機構６を操作して、第３記録ヘッド３ｃを回転方向Ｒ１又は回転方向Ｒ２へ回転させることができる。したがって、第２記録ヘッド３ｂ及び第３記録ヘッド３ｃの角度を容易に調整することができる。その結果、第１記録ヘッド３ａに対して第２記録ヘッド３ｂ及び第３記録ヘッド３ｃが平行となるように、第２記録ヘッド３ｂ及び第３記録ヘッド３ｃの角度を調整することができる。第２記録ヘッド３ｂ及び第３記録ヘッド３ｃの角度の調整は、例えば、ヘッドアッセンブリ１の組立時に行われる。
【００３１】
続いて、図６を参照して、本実施形態のヘッドアッセンブリ１を更に説明する。図６に示すように、第２記録ヘッド３ｂの第１端部３３ａは第１延伸部３４ａを含み、第２記録ヘッド３ｂの第２端部３３ｂは第２延伸部３４ｂを含む。第１延伸部３４ａ及び第２延伸部３４ｂは、ノズル面３１の外側に位置する。具体的には、第１延伸部３４ａは、ノズル面３１の左側に位置する。第２延伸部３４ｂは、ノズル面３１の右側に位置する。回転軸部材６１は、第１連結部材４ａに設けられて、第２記録ヘッド３ｂの第１延伸部３４ａを回転自在に支持する。
【００３２】
なお、第３記録ヘッド３ｃも、第２記録ヘッド３ｂと同様に、第１延伸部３４ａ、及び第２延伸部３４ｂを有する。また、第３記録ヘッド３ｃの回転軸部材６１も、第２記録ヘッド３ｂの回転軸部材６１と同様に、第１連結部材４ａに設けられて、第３記録ヘッド３ｃの第１延伸部３４ａを回転自在に支持する。
【００３３】
図６に示すように、第１角度調整機構６は、押当部材６２と、付勢部材６３とを有する。押当部材６２及び付勢部材６３は、第２連結部材４ｂに設けられる。押当部材６２は、第２記録ヘッド３ｂの第２端部３３ｂに当接する。付勢部材６３は、第２記録ヘッド３ｂの第２端部３３ｂを回転方向Ｒ２に付勢する。したがって、作業者は、押当部材６２の位置を調整して、第２記録ヘッド３ｂを回転方向Ｒ１又は回転方向Ｒ２へ回転させることができる。本実施形態において、押当部材６２は、第２記録ヘッド３ｂの第２延伸部３４ｂに当接し、付勢部材６３は、第２記録ヘッド３ｂの第２延伸部３４ｂを付勢する。
【００３４】
次に、図７を参照して、本実施形態の第２記録ヘッド３ｂ及び第１角度調整機構６を更に説明する。図７は、本実施形態に係る第２記録ヘッド３ｂ及び第１角度調整機構６を示す拡大斜視図である。
【００３５】
図７に示すように、ヘッドアッセンブリ１は、締結部材３５を備える。また、第２記録ヘッド３ｂは、第２延伸部３４ｂに形成された穴３６を有する。締結部材３５は、第２延伸部３４ｂの穴３６を介して、第２連結部材４ｂに締結される。第２延伸部３４ｂの穴３６の径は、締結部材３５の軸の径よりも大きい。
【００３６】
図７に示すように、第１角度調整機構６は、押当部材６２と、付勢部材６３とに加えて、支持部６４を更に有する。支持部６４は、第２連結部材４ｂに設けられて、押当部材６２を支持する。詳しくは、支持部６４は、押当部材６２が第２延伸部３４ｂの後面に当接するように、押当部材６２を支持する。また、支持部６４は、移動方向Ｄ１に沿って移動自在に押当部材６２を支持する。押当部材６２が移動方向Ｄ１に沿って移動することにより、押当部材６２の支持部６４からの突出量が変化する。
【００３７】
具体的には、支持部６４は、移動方向Ｄ１に沿って延びる貫通穴を有する。貫通穴はねじ穴である。押当部材６２の表面にはねじ溝が形成されており、押当部材６２は、支持部６４の貫通穴に螺合する。したがって、作業者は、押当部材６２を回転させることにより、押当部材６２を移動方向Ｄ１に沿って移動させることができる。換言すると、作業者は、押当部材６２を回転させることにより、押当部材６２の支持部６４からの突出量を変化させることができる。押当部材６２の支持部６４からの突出量が増加すると、第２延伸部３４ｂが押当部材６２によって押されて、第２延伸部３４ｂが移動する。その結果、図６を参照して説明した回転方向Ｒ１へ第２記録ヘッド３ｂが回転する。押当部材６２は、例えば、イモネジである。
【００３８】
付勢部材６３は、第２延伸部３４ｂの前面に当接して、付勢方向Ｄ２に沿って第２延伸部３４ｂを付勢する。したがって、押当部材６２の支持部６４からの突出量が減少すると、付勢部材６３の付勢力により、押当部材６２の移動に追従して第２延伸部３４ｂが移動する。その結果、図６を参照して説明した回転方向Ｒ２へ第２記録ヘッド３ｂが回転する。付勢部材６３は、例えば、ばね部材である。
【００３９】
以上、図６及び図７を参照して説明したように、本実施形態によれば、作業者は、押当部材６２を移動方向Ｄ１に移動させることにより、第２記録ヘッド３ｂを回転させることができる。したがって、第２記録ヘッド３ｂの角度を容易に調整することができる。
【００４０】
なお、第３記録ヘッド３ｃに対して設けられる第１角度調整機構６は、第２記録ヘッド３ｂに対して設けられる第１角度調整機構６と同様の構成を有する。したがって、本実施形態によれば、第３記録ヘッド３ｃの角度を容易に調整することができる。
【００４１】
続いて、図８及び図９を参照して、本実施形態のインクジェット記録装置１００を更に説明する。図８は、本実施形態に係るインクジェット記録装置１００を示す図である。なお、図面を簡略化するために、図８において、図４を参照して説明した底壁５ｃの一部及び第２側壁５ｂは省略されている。図９は、本実施形態に係るヘッドアッセンブリ１を示す底面図である。詳しくは、図９は、ヘッドアッセンブリ１の回転方向Ｒ３及び回転方向Ｒ４を示す。回転方向Ｒ４は、回転方向Ｒ３とは反対の回転方向である。
【００４２】
図８に示すように、インクジェット記録装置１００は、第２角度調整機構９を更に備える。第２角度調整機構９は、位置決め部材８を回転中心としてヘッドアッセンブリ１を回転させる。すなわち、本実施形態において、位置決め部材８は、ヘッドアッセンブリ１の回転軸として機能する。換言すると、位置決め部材８は、回転軸部材として機能する。第２角度調整機構９は、図４を参照して説明した設置部５に設けられる。具体的には、第２角度調整機構９は、ヘッドアッセンブリ１の第２端部１ｂ側に設けられる。
【００４３】
詳しくは、第２角度調整機構９は、図９に示すように、位置決め部材８（挿入穴４１）を回転中心として、ヘッドアッセンブリ１を回転方向Ｒ３又は回転方向Ｒ４に回転させる。その結果、ヘッドアッセンブリ１の角度が調整される。
【００４４】
以上、図８及び図９を参照して、本実施形態のインクジェット記録装置１００を説明した。本実施形態によれば、作業者は、第２角度調整機構９を操作して、ヘッドアッセンブリ１の角度を調整できる。詳しくは、図１３を参照して説明するように、インクジェット記録装置１００は、４つのヘッドアッセンブリ１（第１ヘッドアッセンブリ１１、第２ヘッドアッセンブリ１２、第３ヘッドアッセンブリ１３、及び第４ヘッドアッセンブリ１４）を備える。インクジェット記録装置１００は、４つのヘッドアッセンブリ１のそれぞれに対して設けられた第２角度調整機構９を備える。したがって、本実施形態によれば、４つのヘッドアッセンブリ１の角度を調整して、４つのヘッドアッセンブリ１を平行に配置することができる。ヘッドアッセンブリ１の角度の調整は、ヘッドアッセンブリ１を設置部５に設置した後に行われる。
【００４５】
次に、図５及び図９を参照して、本実施形態のヘッドアッセンブリ１を更に説明する。図６を参照して説明したように、第１記録ヘッド３ａ〜第３記録ヘッド３ｃはそれぞれ第１端部３３ａ（左側の端部）及び第２端部３３ｂ（右側の端部）を有する。図５及び図９に示すように、第１記録ヘッド３ａ〜第３記録ヘッド３ｃのそれぞれの第１端部３３ａは、ヘッドアッセンブリ１の第１端部１ａ側に配置される。また、第１記録ヘッド３ａ〜第３記録ヘッド３ｃのそれぞれの第２端部３３ｂは、ヘッドアッセンブリ１の第２端部１ｂ側に配置される。したがって、第２記録ヘッド３ｂの回転軸部材６１、第３記録ヘッド３ｃの回転軸部材６１、及び、ヘッドアッセンブリ１の回転軸部材（位置決め部材８）は全て、ヘッドアッセンブリ１の第１端部１ａ側に配置される。換言すると、第２記録ヘッド３ｂの回転軸と、第３記録ヘッド３ｃの回転軸と、ヘッドアッセンブリ１の回転軸とが同じ側に配置される。その結果、記録ヘッド３の角度調整作業、及びヘッドアッセンブリ１の角度調整作業が容易となる。
【００４６】
続いて、図１０〜図１２を参照して、本実施形態の第２角度調整機構９を更に説明する。図１０は、本実施形態に係る第２角度調整機構９を示す斜視図である。詳しくは、図１０は、右斜め後ろから見た第２角度調整機構９を示す。
【００４７】
図１０に示すように、第２角度調整機構９は、取付板９１と、連結機構９２と、押当部材９３と、回転軸部材９４と、角度調整部材９５と、回転軸部材９６とを有する。また、第２角度調整機構９は、３つの締結部材Ｂ１〜Ｂ３を有する。
【００４８】
連結機構９２及び回転軸部材９４は、取付板９１に取り付けられる。取付板９１は、３つの締結部材Ｂ１〜Ｂ３によって、図４を参照して説明した第２側壁５ｂに固定される。
【００４９】
回転軸部材９４は、押当部材９３を移動方向Ｄ３に沿って移動自在に支持する。連結機構９２は、押当部材９３に連結する。連結機構９２は、作業者によって操作される。連結機構９２は、作業者による操作に応じて、押当部材９３を移動方向Ｄ３に沿って移動させる。図１１を参照して説明するように、押当部材９３が移動方向Ｄ３に沿って移動することにより、角度調整部材９５が回転軸部材９６を回転中心として回転する。
【００５０】
本実施形態において、連結機構９２は、作業者が操作可能な操作部材９２１を有する。連結機構９２は、作業者が操作部材９２１を操作することに応じて、押当部材９３を移動方向Ｄ３に沿って移動させる。詳しくは、本実施形態の連結機構９２は、操作部材９２１に加えて、アイドルギア９２２を有する。
【００５１】
操作部材９２１は、取付板９１に回転自在に取り付けられる。操作部材９２１は、操作部９２１ａと、ギア部９２１ｂと、操作穴９２１ｃとを有する。作業者は、例えば六角レンチを操作穴９２１ｃに嵌合させて、操作部材９２１を回転させることができる。ギア部９２１ｂは歯部を有する。歯部は、ギア部９２１ｂの周面に形成される。具体的には、ギア部９２１ｂの歯部は、ギア部９２１ｂの周方向に沿って配列される複数の歯を有する。
【００５２】
押当部材９３は、回転軸部材９４によって回転自在に支持されている。換言すると、押当部材９３は、回転軸部材９４を回転中心として回転自在である。押当部材９３は、ギア部９３ａを有する。ギア部９３ａは歯部を有する。歯部は、ギア部９３ａの周面に形成される。具体的には、ギア部９３ａの歯部は、ギア部９３ａの周方向に沿って配列される複数の歯を有する。
【００５３】
アイドルギア９２２は、取付板９１に回転自在に取り付けられる。アイドルギア９２２は、歯部を有する。歯部は、アイドルギア９２２の周面に形成される。具体的には、アイドルギア９２２の歯部は、アイドルギア９２２の周方向に沿って配列される複数の歯を有する。アイドルギア９２２は、アイドルギア９２２の歯部が、操作部材９２１（ギア部９２１ｂ）の歯部及び押当部材９３（ギア部９３ａ）の歯部と噛み合う位置に配置される。この結果、操作部材９２１の回転に応じて、押当部材９３が回転する。
【００５４】
押当部材９３は、貫通穴を有する。貫通穴はねじ穴である。回転軸部材９４の軸部の表面にはねじ溝が形成されており、押当部材９３の貫通穴は、回転軸部材９４の軸部に螺合する。この結果、押当部材９３は、アイドルギア９２２の回転に応じて、移動方向Ｄ３に沿って移動する。
【００５５】
本実施形態において、連結機構９２は、クリック部９２３を更に有する。また、操作部材９２１は、複数の凹部９２１ｄを有する。複数の凹部９２１ｄは、操作部９２１ａの周面に形成されている。詳しくは、複数の凹部９２１ｄは、操作部９２１ａの周方向に沿って配列される。
【００５６】
クリック部９２３は、操作部材９２１の回転に応じて、操作部材９２１の複数の凹部９２１ｄに順次係合する。この結果、操作部材９２１を操作する作業者に対し、クリック部９２３からクリック感が与えられる。したがって、作業者は、ヘッドアッセンブリ１の角度調整作業中に、クリック感に基づいて、ヘッドアッセンブリ１の角度が変更されていることを認識することができる。クリック部９２３は、例えば、板バネを加工して作製される。
【００５７】
次に、図１１を参照して、第２角度調整機構９及びヘッドアッセンブリ１を更に説明する。図１１は、本実施形態に係る第２角度調整機構９及び第２連結部材４ｂを示す底面図である。詳しくは、図１１は、ヘッドアッセンブリ１の第２端部１ｂ側に設けられた第２連結部材４ｂを示す。以下、ヘッドアッセンブリ１の第２端部１ｂ側に設けられた第２連結部材４ｂを、「第２連結部材４ｂｂ」と記載する場合がある。
【００５８】
図１１に示すように、角度調整部材９５は、第２側壁５ｂの内側に配置される。角度調整部材９５は、回転軸部材９６を回転中心として回転自在に配置される。具体的には、角度調整部材９５は、回転方向Ｒ５及び回転方向Ｒ６に回転自在である。回転方向Ｒ６は、回転方向Ｒ５とは反対の回転方向である。
【００５９】
角度調整部材９５は、ヘッドアッセンブリ１と係合する第１係合部９５１を有する。本実施形態において、第１係合部９５１は、回転軸部材９６が延びる方向と直交する方向に延びる突出片である。具体的には、第１係合部９５１は、角度調整部材９５の中心部（回転軸部材９６）から径方向に突出する。詳しくは、第１係合部９５１は、第２連結部材４ｂｂの下端部４２に向かって延びる。
【００６０】
ヘッドアッセンブリ１は、第１係合部９５１と係合するヘッド側係合部４３を有する。本実施形態において、ヘッド側係合部４３は、第１係合部９５１と当接する突出片であり、第２連結部材４ｂｂの下端部４２から突出する。換言すると、第２連結部材４ｂｂの下端部４２が、ヘッド側係合部４３を有する。
【００６１】
角度調整部材９５は、回転軸部材９６を回転中心として回転方向Ｒ５に回転することに応じて、第１係合部９５１がヘッド側係合部４３を押すように配置される。ヘッドアッセンブリ１は、第１係合部９５１がヘッド側係合部４３を押すことに応じて、図８及び図９を参照して説明したように、位置決め部材８（挿入穴４１）を回転中心として回転方向Ｒ４に回転する。
【００６２】
また、図１１に示すように、角度調整部材９５は、押当部材９３と係合する第２係合部９５２を更に有する。本実施形態において、第２係合部９５２は、回転軸部材９６が延びる方向と直交する方向に延びる突出片である。具体的には、第２係合部９５２は、角度調整部材９５の中心部（回転軸部材９６）から径方向に突出する。詳しくは、第２係合部９５２は、第１係合部９５１が突出する方向とは異なる方向に突出する。
【００６３】
押当部材９３は、当接部９３ｂを有する。当接部９３ｂは、角度調整部材９５に当接する。具体的には、当接部９３ｂは、第２係合部９５２に当接する。押当部材９３が移動方向Ｄ３に沿って移動して、当接部９３ｂが第２係合部９５２を押すことに応じて、角度調整部材９５が回転方向Ｒ５に回転する。その結果、ヘッドアッセンブリ１は、図８及び図９を参照して説明したように、位置決め部材８（挿入穴４１）を回転中心として回転方向Ｒ４に回転する。換言すると、作業者が操作部材９２１を操作することに応じて、ヘッドアッセンブリ１が、回転方向Ｒ４に回転する。したがって、作業者は、操作部材９２１を操作して、ヘッドアッセンブリ１の角度を調整することができる。
【００６４】
詳しくは、当接部９３ｂは、取付板９１を貫通する。押当部材９３が移動方向Ｄ３に沿って移動することに応じて、当接部９３ｂの取付板９１からの突出量が変化する。したがって、作業者は、操作部材９２１を回転させることにより、当接部９３ｂの取付板９１からの突出量を変化させることができる。当接部９３ｂの取付板９１からの突出量が増加すると、第２係合部９５２が当接部９３ｂによって押されて、角度調整部材９５が回転方向Ｒ５に回転する。その結果、ヘッドアッセンブリ１は、位置決め部材８を回転中心として回転方向Ｒ４に回転する。
【００６５】
また、図１１に示すように、第２角度調整機構９は、付勢部材９７を有する。付勢部材９７は、回転方向Ｒ６に角度調整部材９５が回転するように、角度調整部材９５を付勢する。付勢部材９７は、例えば、ばね部材である。
【００６６】
詳しくは、角度調整部材９５は、付勢部材９７と係合する第３係合部９５３を有する。本実施形態において、第３係合部９５３は、回転軸部材９６が延びる方向と直交する方向に延びる突出片である。具体的には、第３係合部９５３は、角度調整部材９５の中心部（回転軸部材９６）から径方向に突出する。詳しくは、第３係合部９５３は、第１係合部９５１が突出する方向と異なり且つ第２係合部９５２が突出する方向と異なる方向に突出する。付勢部材９７は、角度調整部材９５が回転方向Ｒ６に回転するように、第３係合部９５３を付勢する。
【００６７】
したがって、作業者が操作部材９２１を操作することに応じて、当接部９３ｂの取付板９１からの突出量が減少すると、付勢部材９７の付勢力により、押当部材９３の移動に追従して角度調整部材９５が回転方向Ｒ６に回転する。その結果、ヘッドアッセンブリ１は、図８及び図９を参照して説明したように、位置決め部材８（挿入穴４１）を回転中心として回転方向Ｒ３に回転する。
【００６８】
また、図１１に示すように、操作部材９２１は第２側壁５ｂの外側に配置される。したがって、作業者は、設置部５に設置されたヘッドアッセンブリ１の角度を容易に調整することができる。
【００６９】
次に、図１２を参照して、第２角度調整機構９を更に説明する。図１２は、本実施形態に係る第２角度調整機構９を示す斜視図である。詳しくは、図１２は、左斜め前の上方から見た第２角度調整機構９を示す。
【００７０】
図１２に示すように、第２角度調整機構９は、規制部材９８を更に有する。規制部材９８は、角度調整部材９５の回転を規制する。本実施形態の規制部材９８は、角度調整部材９５の回転方向Ｒ５への回転を規制する。具体的には、図１１を参照して説明したように、角度調整部材９５は、当接部９３ｂの取付板９１からの突出量の増加に応じて、回転方向Ｒ５へ回転する。したがって、規制部材９８は、当接部９３ｂの取付板９１からの突出量の増加に応じた角度調整部材９５の回転を規制する。
【００７１】
規制部材９８が、角度調整部材９５の回転方向Ｒ５への回転を規制することにより、ヘッドアッセンブリ１の角度調整時に、設置部５を構成する部品にヘッドアッセンブリ１が衝突し難くなる。その結果、設置部５を構成する部品にヘッドアッセンブリ１が衝突することに起因するヘッドアッセンブリ１の故障を低減できる。例えば、設置部５を構成する部品に記録ヘッド３のノズル面３１が衝突し難くなる。その結果、設置部５を構成する部品に記録ヘッド３のノズル面３１が衝突することに起因するノズル孔の破損を低減できる。
【００７２】
なお、図１１に示すように、角度調整部材９５の回転方向Ｒ６への回転は、第２側壁５ｂ又は取付板９１によって規制される。具体的には、押当部材９３の移動が、第２側壁５ｂによって規制される。あるいは、第２係合部９５２の回転が、取付板９１によって規制される。
【００７３】
次に、図１３を参照して、本実施形態のインクジェット記録装置１００を更に説明する。図１３は、本実施形態に係るインクジェット記録装置１００の構成を示す図である。
【００７４】
図１３に示すように、インクジェット記録装置１００は、給紙部１１０と、シート搬送部１２０と、排出部１３０と、メンテナンスユニット１４０とを備える。また、インクジェット記録装置１００は、第１ヘッドアッセンブリ１１と、第２ヘッドアッセンブリ１２と、第３ヘッドアッセンブリ１３と、第４ヘッドアッセンブリ１４とを備える。
【００７５】
給紙部１１０は、シート搬送部１２０にシートＳを給紙する。本実施形態の給紙部１１０は、給紙カセット１１１と、給紙ローラー１１２とを有する。給紙カセット１１１は、少なくとも１枚のシートＳを収容する。給紙ローラー１１２は、給紙カセット１１１からシート搬送部１２０へシートＳを送り出す。なお、シートＳは記録媒体の一例である。
【００７６】
シート搬送部１２０は、シートＳを排出部１３０まで搬送する。詳しくは、シート搬送部１２０は、複数の搬送ガイド１２１と、複数の搬送ローラー対１２２と、レジストローラー対１２３とを有する。搬送ガイド１２１はシートＳの搬送路を構成する。搬送ローラー対１２２は、搬送路に沿ってシートＳを搬送する。レジストローラー対１２３は、第１ヘッドアッセンブリ１１〜第４ヘッドアッセンブリ１４と対向する領域へのシートＳの搬送タイミングを調整する。
【００７７】
本実施形態のシート搬送部１２０は、第１搬送ユニット１２４と、第２搬送ユニット１２５とを有する。第１搬送ユニット１２４は、第１ヘッドアッセンブリ１１〜第４ヘッドアッセンブリ１４と対向する。第１搬送ユニット１２４は、第１ヘッドアッセンブリ１１〜第４ヘッドアッセンブリ１４の直下の領域においてシートＳを搬送する。第２搬送ユニット１２５は、第１搬送ユニット１２４から送り出されたシートＳを、排出部１３０へ向けて搬送する。
【００７８】
第１ヘッドアッセンブリ１１〜第４ヘッドアッセンブリ１４に設けられた記録ヘッド３は、第１搬送ユニット１２４によって搬送されているシートＳに向けて、インクを吐出する。具体的には、第１ヘッドアッセンブリ１１〜第４ヘッドアッセンブリ１４のそれぞれの記録ヘッド３は、互いに異なる色のインクを吐出する。例えば、第１ヘッドアッセンブリ１１の記録ヘッド３は、ブラック色のインクを吐出する。第２ヘッドアッセンブリ１２の記録ヘッド３は、シアン色のインクを吐出する。第３ヘッドアッセンブリ１３の記録ヘッド３は、マゼンタ色のインクを吐出する。第４ヘッドアッセンブリ１４の記録ヘッド３は、イエロー色のインクを吐出する。
【００７９】
排出部１３０は、装置本体の外部にシートＳを排出する。本実施形態の排出部１３０は、排出トレイ１３１と、排出ローラー対１３２とを有する。排出ローラー対１３２は、シートＳを排出トレイ１３１に送り出す。
【００８０】
メンテナンスユニット１４０は、第１ヘッドアッセンブリ１１〜第４ヘッドアッセンブリ１４のそれぞれの記録ヘッド３をメンテナンスする。メンテナンスユニット１４０は、シートＳへの画像の記録時に第２搬送ユニット１２５の下方に位置し、記録ヘッド３のメンテナンス時に、第１ヘッドアッセンブリ１１〜第４ヘッドアッセンブリ１４の直下の位置へ移動する。なお、記録ヘッド３のメンテナンス時には、第１搬送ユニット１２４は、退避位置に移動している。退避位置は、第１搬送ユニット１２４がメンテナンスユニット１４０と衝突しない位置である。
【００８１】
本実施形態のメンテナンスユニット１４０は、キャップ部１４１と、クリーニング部１４２とを有する。図３を参照して説明したように、記録ヘッド３はノズル面３１を有する。キャップ部１４１は、キャッピング部材１４１ａを有する。キャッピング部材１４１ａは、記録ヘッド３のノズル面３１をキャッピングして、インクが乾燥し難い環境を提供する。
【００８２】
クリーニング部１４２は、記録ヘッド３のノズル面３１を清掃する。具体定には、クリーニング部１４２は、ワイプブレード１４２ａを有する。ワイプブレード１４２ａは、例えば、樹脂を材料として含む。ワイプブレード１４２ａは、ノズル面３１を清掃するクリーニング部材である。
【００８３】
クリーニング部１４２は、記録ヘッド３の下面にワイプブレード１４２ａを接触させた状態で、図５を参照して説明した記録ヘッド３の長手方向に沿ってワイプブレード１４２ａを移動させる。この結果、ノズル面３１がワイプブレード１４２ａによって払拭されて、ノズル面３１が清掃される。具体的には、ノズル面３１に付着していたインクが、ワイプブレード１４２ａによって拭き取られる。
【００８４】
以上、図１〜図１３を参照して本発明の実施形態について説明した。但し、本発明は、上記の実施形態に限られるものではなく、その要旨を逸脱しない範囲で種々の態様において実施できる。また、上記の実施形態に開示される構成要素は適宜改変可能である。図面は、発明の理解を容易にするために、それぞれの構成要素を主体に模式的に示しており、図示された各構成要素の厚さ、長さ、個数、間隔等は、図面作成の都合上から実際とは異なる場合もある。また、上記の実施形態で示す各構成要素の構成は一例であって、特に限定されるものではなく、本発明の効果から実質的に逸脱しない範囲で種々の変更が可能である。
【００８５】
例えば、本発明の実施形態において、第２記録ヘッド３ｂの回転軸と、第３記録ヘッド３ｃの回転軸と、ヘッドアッセンブリ１の回転軸とが同じ側（ヘッドアッセンブリ１の第１端部１ａ側）に配置される構成を説明したが、本発明はこの構成に限定されない。例えば、第２記録ヘッド３ｂの回転軸、及び第３記録ヘッド３ｃの回転軸が、ヘッドアッセンブリ１の第２端部１ｂ側に配置されてもよい。
【００８６】
また、本発明の実施形態において、第１記録ヘッド３ａに対し回転軸部材６１及び第１角度調整機構６を設けない構成を説明したが、ヘッドアッセンブリ１は、第１記録ヘッド３ａに対して設けられる回転軸部材６１及び第１角度調整機構６を備え得る。
【００８７】
また、本発明の実施形態において、第１ヘッドアッセンブリ１１〜第４ヘッドアッセンブリ１４に対して第２角度調整機構９を設ける構成を説明したが、本発明はこの構成に限定されない。例えば、インクジェット記録装置１００は、第１ヘッドアッセンブリ１１に対して第２角度調整機構９が設けられていない構成であってもよい。
【００８８】
また、本発明の実施形態において、インクジェット記録装置１００は、４つのヘッドアッセンブリ１を備えたが、インクジェット記録装置１００は、１つ、２つ、又は３つのヘッドアッセンブリ１を備えてもよいし、５つ以上のヘッドアッセンブリ１を備えてもよい。
【００８９】
また、本発明の実施形態において、ヘッドアッセンブリ１は、３つの記録ヘッド３を有したが、ヘッドアッセンブリ１は、１つ、又は２つの記録ヘッド３を有してもよいし、４つ以上の記録ヘッド３を有してもよい。
【００９０】
また、本発明の実施形態において、連結機構９２は、操作部材９２１と、アイドルギア９２２とを有したが、連結機構９２は、操作部材９２１のみを有してもよい。すなわち、連結機構９２は、操作部材９２１（ギア部９２１ｂ）の歯部と押当部材９３（ギア部９３ａ）の歯部とが噛み合う構成であってもよい。あるいは、連結機構９２は、複数のアイドルギア９２２を有してもよい。
【産業上の利用可能性】
【００９１】
本発明は、インクジェット方式で記録媒体に画像を記録する装置の分野に有用である。
【符号の説明】
【００９２】
１        ヘッドアッセンブリ
２        ベース部材
３        記録ヘッド
４        連結部材
５        設置部
６        第１角度調整機構
８        位置決め部材
９        第２角度調整機構
３１      ノズル面
３３ａ    第１端部
３３ｂ    第２端部
６１      回転軸部材
６２      押当部材
６３      付勢部材
９２      連結機構
９５      角度調整部材
１００    インクジェット記録装置
９２１    操作部材
【図１】
2020121515.tif 000003
【図２】
2020121515.tif 000004
【図３】
2020121515.tif 000005
【図４】
2020121515.tif 000006
【図５】
2020121515.tif 000007
【図６】
2020121515.tif 000008
【図７】
2020121515.tif 000009
【図８】
2020121515.tif 000010
【図９】
2020121515.tif 000011
【図１０】
2020121515.tif 000012
【図１１】
2020121515.tif 000013
【図１２】
2020121515.tif 000014
【図１３】
2020121515.tif 000015